(57)【要約】【課題】  環境の保護を図ると共に、廃棄処理する体積を縮小できる、安全な注射器を提供すること。【解決手段】  注射針ケース１とプッシュバー２と注射針ベース３と及び注射針先蓋４を含み、前記注射針ベース３は、注射針ケース1の収納部１２に支持されて、プッシュバー２の先端の凸柱２５を注射針ベース３のベース３１に結合可能であって、使用済みとなったときにプッシュバー２を引き出して注射針ベース３を注射針ケース１の内部に収納して人が注射針に刺傷するのを防止する。【選択図】  図１
2006136565.tif 000002
【特許請求の範囲】
【請求項１】
頂部と底部を有する円管体であって、円管体の底部に近い内周面にリング凸部を設け、前記リング凸部と底部との間に収納部を形成していて、前記収納部は前記リング凸部の後端部から底部に沿って徐々に縮小した円錐形状になっていて、且つ注射針ケースの底部の外縁に前記収納部と連通する貫通孔を開設していて、その貫通孔の孔径は収納部が徐々に縮小した円錐形状を呈する注射針ケースと、
押圧部と、主体と、頸部と、球状円錐体を呈する凸柱及びリングから構成されていて、前記頸部の先頭に設けたリング凹部の上にリングを固定し、
曲面変化したベースと、固定ベースと、固定部とを設けられていて、そのベースの上平面の形状は長軸と短軸を有する略楕円形状をしていて、且つその上平面の外周の合計長さは、前記リング凸部の内周の合計長さより小さくて、そのベースの下平面の形状は円形状であり、且つ円孔を開設している注射針ベース部と、
中空の円錐状を呈していて、その外周に複数の凸肋を形成した注射針ベースに被るための注射針先蓋と、を備える安全な注射器であり、
前記注射針ベースは、注射針ケースの円管体をベースで通じて、前記リング凸部の下縁をベースの上平面の長軸両端部で支持させて収納部に設け、
前記注射針ベースのベースは貫通孔を通ってその下平面が注射針ケースの円管体に密接し、
プッシュバーに設けられたリングは注射針ケースの円管体に密接して、
薬剤の注射を終えた時に、ベースの曲面変化が徐々に円錐状の曲面に変化し、上平面と下平面の中間の曲面変化が徐々に凸柱に密接するように、プッシュバーを押し込んでプッシュバーの凸柱を前記注射針ベースのベースに入れて、凸柱の円錐体とベースとの接続部が押圧力と摩擦力によって結合し合うとともに、
プッシュバーを抜き出した時に、リング凸部の内径サイズより小さいベースを有する注射針ベースを収納部から脱離させて、そのまま注射針ケースの円管体に収納可能に構成したことを特徴とする、
安全な注射器。
【請求項２】
前記プッシュバーの主体と頸部の間は、数多くの接続点で接続されていて、使用が済んだ後に主体と頸部を折って分離可能に構成したことを特徴とする、請求項１記載の安全な注射器。
【請求項３】
前記リングは、ラバー又はシリコンラバーにより形成されていることを特徴とする、請求項１記載の安全な注射器。
【請求項４】
前記注射針先蓋は、使用が済んだ後に、回収体積を縮小するように、注射針ケースの円管体の内部に収納可能に構成したことを特徴とする、請求項１記載の安全な注射器。
【請求項５】
前記注射針べースの円穴を有する固定部に注射針を固定可能に構成したことを特徴とする、請求項１記載の安全な注射器。
【請求項６】
前記注射針べースの円穴を有する固定部に注射針ベースを固定可能に構成したことを特徴とする、請求項１記載の安全な注射器。
【発明の詳細な説明】
【技術分野】
【０００１】
本発明は、安全な注射器に関するもので、特に使用済みの注射針ベースを注射針ケースに戻らせる安全な注射器に関するものである。
【背景技術】
【０００２】
一般的に従来の注射器は、その注射針ベースを回転して締め付ける方式のもので、その注射針ベースに注射針先蓋を被せてから廃棄している。注射針先蓋を被せるのは、他人が注射針に刺傷して怪我又は感染することを回避するのである。
【０００３】
注射器の使用を終えて、その注射針ベースに注射針先蓋を被せる時、一時的な翳みで、手から滑って又は不注意で注射針を自分に刺傷させる場合がある。小さな刺傷であっても仮にその注射器が肝炎、エーズ、又は血液を経由して伝染する感染病患者等に使用されていると注射針に刺傷した人は、その注射針を介して感染する恐れがある。
【０００４】
従って、上記の注射器をさらに改良する必要がある。上記の注射器をよく使用する看護士等においては、上記の現象による感染が発生した。
本願の発明者は上記の従来の注射器による各欠点をさらに改良するため鋭意研究を重ねて本発明に係る安全な注射器を開発した。
【発明の開示】
【発明が解決しようとする課題】
【０００５】
本発明はこのような事情に鑑みてなされたもので、環境の保護を図ると共に、廃棄処理する体積を縮小できる、安全な注射器を提供することを目的とする。
【０００６】
また本発明の目的は、注射器を使用した後に注射針先蓋を注射器ケース内に挿入できる安全な注射器を提供することにある。
【０００７】
また本発明の別の目的は、注射器を使用した後に注射針ベースを注射針ケースの円管体内に収納できる安全な注射器を提供することにある。
【０００８】
また本発明の別の目的は、プッシュバーの主体と頸部の間がいくつかの接続点で接続されていて、注射器の使用を終えた後にプッシュバーを折って主体と頸部を分離させることができる安全な注射器を提供することにある。
【課題を解決するための手段】
【０００９】
上記した目的を達成するため本発明に係る安全な注射器は、注射針ケースと、プッシュバーと、注射針ベースおよび注射針先蓋を含む。
注射針ケースは、頂部と底部を有する円管体であって、円管体の底部に近い内部の周辺にリング凸部を設け、前記リング凸部と底部との間に収納部を形成させて、且つ前記収納部は前記リング凸部１の後端部から底部に沿いて、だんだん縮小して円錐体の形状になっていて、且つ注射針ケースの底部の外縁に前記収納部と通じる貫通孔を開いて、その貫通孔の孔径は収納部からだんだん縮小した円錐体の形状である。
【００１０】
プッシュバーは、押圧部と、主体と、頸部と、凸柱、及びリングから構成されている。前記頸部の先頭にリング凹部を設けて、且つ前記リングで前記リング凹部の上に固定して、前記凸柱は球状円錐体である。
【００１１】
注射針ベースは曲面変化したベースと、固定ベースと、固定部とを設けられている。前記ベースの上平面の形状は長軸と短軸を有して、且つ楕円状の形状によく似ていて、且つ前記上平面の外周の合計長さは、前記リング凸部の内周の合計長さより小さくて、前記ベースの下平面３１５の形状は円状の形状であり、且つ円孔を開けて、固定部に位置する円孔に注射針先を固定できて、前記注射針先は前記円孔と貫通する。
【００１２】
注射針先蓋は、中空の円錐状になって、その注射針先を被るためのであり、且つその外縁に複数の凸肋を設けている。
【００１３】
前記プッシュバーの主体と頸部の間は、数多くの接続点で接続されていて、使用が済んだ後に主体と頸部を折って分離可能に構成する。
【００１４】
前記リングは、ラバー又はシリコンラバーにより形成する。
【００１５】
前記注射針先蓋は、使用が済んだ後に、回収体積を縮小するように、注射針ケースの円管体の内部に収納可能に構成する。
【００１６】
前記注射針べースの円穴を有する固定部に注射針を固定可能に構成する。
【００１７】
前記注射針べースの円穴を有する固定部に注射針ベースを固定可能に構成する。
【発明の効果】
【００１８】
本発明に係る安全な注射器は、前述した従来例及び他の従来技術と比べて、以下のような長所がある。
【００１９】
第１の長所は、その注射器の使用を終えたとき、プッシュバーを収納部から後退させて注射針ベースを注射針ケースの円管体の中に収納できるから、廃棄しても、他人がその注射針先に刺傷することを確実に防止することができる。
【００２０】
第２の長所は、その注射器の使用を終えたとき、その注射針先蓋をベースの貫通孔に挿入して一緒に廃棄できるから、資源回収の体積を縮小することができる。
【発明を実施するための最良の形態】
【００２１】
以下、本発明に係る安全な注射器について図面を参照しながら説明する。
【００２２】
図１、図２、及び図３を参照して説明すると、本発明が提供する安全な注射器は、注射針ケース１と、プッシュバー２と、注射針ベース３と、注射針先蓋４とを具備する。
【００２３】
その注射針ケース１は、頂部と底部を有する円管体１１であって、円管体１１の底部に近い内部の周辺にリング凸部１１１を設け、前記リング凸部１１１と底部との間に収納部１２を形成している。前記収納部１２は前記リング凸部１１１の後端部から底部に沿って、だんだん縮小して円錐体の形状になっている。注射針ケース１の底部の外縁に前記収納部１２と通じる貫通孔１４を開設していて、その貫通孔１４の孔径は収納部１２からだんだん縮小した円錐形状になっている。
【００２４】
プッシュバー２は、押圧部２１と、主体２２と、頸部２３と、凸柱２５、及びリング２６から構成されている。前記頸部２３の先頭にリング凹部２４を設けている。前記リング２６は前記リング凹部２４の上に固定する。前記リング２６はラバー又はシリコンラバーで形成してあって、本実施例においては前記リング２６がラバーで形成してある。前記凸柱２５は球状円錐体である。
【００２５】
注射針ベース３は曲面変化したベース３１と、固定ベース３２と、固定部３４とを具備していて、前記ベース３１の上平面３１４の開口形状は長軸３１２と短軸３１３を有する楕円形状によく似た形状をしていて、且つ前記上平面３１４の外周の合計長さは、前記リング凸部１１１の内周の合計長さより小さい。前記ベース３１はその下平面３１５の形状が円形を呈し、且つ円孔３１６を開設していて、固定部３４に注射針先３３を固定できて、前記注射針先３３が前記円孔３１６と連通する。
【００２６】
注射針先蓋４は注射針先３３に被るためのものであり、全体が中空の円錐状を呈していて、その外周に複数の凸肋４１を有する。図９に示すように、前記注射針先蓋４は頂部と底部を貫通するか又は一つの開口を有するものでもよい、本実施例では注射針先蓋４が頂部と底部を貫通する形態について説明する。
【００２７】
図４を参照すると、前記注射針ベース３は、そのベース３１が注射針ケース１の円管体１１を貫通し、ベース３１の上平面の長軸３１２の両端部を前記リング凸部１１１の下縁に支持させて状態で収納部１２に設ける。また、前記注射針ベース３の固定ベース３２は注射針ケース１の貫通孔１４を貫通して、下平面３１５が固定ベースに当接して貫通孔１４と密接する。プッシュバー２に設けられたリング２６は注射針ケース１の円管体１１に密接することで、図５に示すようにユーザがプッシュバー２を押し込んで薬剤を注射できる。薬剤の注射が済んだ時、押圧力によりプッシュバー２の凸柱２５を前記注射針ベース３のベース３１に入れることが可能である。
図６に示すように、プッシュバー２の凸柱２５は前記注射針ベース３のベース３１に入れると共に、ベース３１の曲面変化がだんだん円錐状の曲面になって、上平面３１４と下平面３１５の中間の曲面変化がだんだん凸柱２５に密接するように、さらに、凸柱２５の円錐体とベース３１の接続部３１１が押圧力と摩擦力によって結合し合う。図７に拡大して示すように、ベース３１の上平面３１４の外径サイズがリング凸部１１１の内径サイズより僅かに小さくなっていて、従って、ユーザがプッシュバー２を抜き出す時（図８に示すように）、前記注射針ベース３が収納部１２から脱離されて、そのまま注射針ケース１の円管体１１内に収納することができる。
【００２８】
図２は他の注射針ベース３を適用した本発明の第２実施形態の説明図である。注射針ベース３に設けられている固定部３４は注射針座３５の固定用のためのものである。前記注射針座３５は今までよく使う注射針座である。ユーザが必要に応じて、規格の異なった注射針を選択して前記注射針座３５の固定接続部３５１を固定部３４に固定することで使用に提供される。
【００２９】
図２〜図９を参照して、本発明の安全な注射器の使用方法について詳しく説明する。人差指と中指で注射針ケース１の止め部１３を支持しながら、プッシュバー２の押圧部２１を親指で軽く押すことで、注射針ケース１の中に収納された薬剤（図示しない）が押圧されて注射針先３３から射出される。また、プッシュバー２の押圧部２１を押して、プッシュバー２が注射針ケース１の底部まで移動する時、そのプッシュバー２の凸柱２５が注射針ベース３のベース３１の接続部３１１の中に収納されることで楕円状のベース３１が円形の形状に変形される。その場合には、そのベース３１の外径がリング凸部１１１の孔径より僅かに小さいため、ユーザが注射針ケース１の中からプッシュバー２を引き出す時、前記注射針ベース３がプッシュバー２の引き出に追従して注射針ケース１の収納部１２から後退し、前記注射針先３３がそのまま注射針ケース１の円管体１１内に収納させることができる。
【００３０】
なお、注射針先蓋４はその外周に複数の錐度のある凸肘４１を形成していて、且つ頂部と底部とが貫通の状態になっている。従って、その注射針先蓋４を注射針ケース１の貫通孔１４に挿入させて、錐度がある凸肘４１によって位置決めさせている。
【００３１】
本発明は注射針ケース１内の収納部１２と貫通孔１４が連通状態で設けられ、且つ収納部１２の孔径が前記貫通孔１４の孔径より大きい段階状に形成されている。そして、ベース３１が注射針ケース１の中に前記収納部１２及び前記貫通孔１４に完全に対応して、且つ前記収納部１２に完全に収納されている時は、注射の際に薬剤が漏れ出る現象を発生しない。
【００３２】
また、注射針ケース１の止め部１３の箇所に傾斜部１５が設けられていて、且つ前記傾斜部１５と前記貫通孔１４との接続箇所が段階状の形態に形成されている。従って、安全な注射器が使用済みになった時、ユーザがそのプッシュバー２を止め部１３側へ移動すると、そのプッシュバー２のストッパ２７が止め部１３に止められて、プッシュバー２の移動が規制されて、注射針ケース１から脱離されなくなる。また、プッシュバー２の主体２２と頸部２２の間がいくつかの接続点で接続されて、注射針ケース１の使用を終えてから主体２２と頸部２２を折って分離させるができる。
【図面の簡単な説明】
【００３３】
【図１】本発明の第１実施例に係る安全な注射器の分解図である。
【図２】本発明の第２実施例に係る安全な注射器の分解図である。
【図３】本発明の安全な注射器の斜視分解図である。
【図４】その注射器ケースとリングが結合した拡大図である。
【図５】そのプッシュバーはその注射器ケースに設けられる模式図。
【図６】本発明の安全な注射器の結合図。
【図７】本発明の安全な注射器の結合拡大図。
【図８】そのプッシュバーの円錐体とベースの接続部を結合してから、注射針ベースを設定部から脱離された模式図。
【図９】本発明の安全な注射器のプッシュバーを引き出してから、プッシュバーの主体と頸部を折って分離されている模式図。
【符号の説明】
【００３４】
１    注射針ケース
２    プッシュバー
３    注射針ベース
４    注射針先蓋
１１    円管体
１２    収納部
１３    とめ部
１４    貫通孔
１５    傾斜部
２１    押圧部
２２    主体
２３    頸部
２４    リング凹部
２５    凸柱
２６    リング
２７    ストッパ
３１    ベース
３２    固定ベース
３３    注射針ベース
３４    固定部
３５    注射針座
４１    凸肋
１１１    リング凸部
３１１    接続部
３１２    長軸
３１３    短軸
３１４    上平面
３１５    下平面
３１６    円孔
３５１    固定接続部
【図１】
2006136565.tif 000003
【図２】
2006136565.tif 000004
【図３】
2006136565.tif 000005
【図４】
2006136565.tif 000006
【図５】
2006136565.tif 000007
【図６】
2006136565.tif 000008
【図７】
2006136565.tif 000009
【図８】
2006136565.tif 000010
【図９】
2006136565.tif 000011